(57)【要約】【課題】  建物の壁体に貫通した通気口の開口端に装着して外気中の塵埃や花粉等を除去し、新鮮な空気のみを室内に取り込むことができるカバー装置であって、簡単且つ確実に装着でき、且つ、優れたフィルター機能を発揮し得ると共に、構造が簡単で使い捨てが可能なカバー部材を提供する。【解決手段】  カバー部材１はシート状の不織布によって通気口Ａをカバーする皿形状のカバー本体1aと、このカバー本体1aの後端に段状に連設した周段部６とに立体成形してなり、この周段部６を通気口Ａの室外側又は室内側の開口端周囲の壁面に設けている円環状固定部材に被せて周段部６の周壁部５を固定部材の外周面に輪状のゴムバンドからなる固定部材10により着脱自在に固定した構造としている。【選択図】    図３
2008298396.tif 000002
【特許請求の範囲】
【請求項１】
建物の壁体に貫設している通気口のカバー装置であって、フィルター機能を有する一定厚みの不織布からなるカバー部材と、このカバー部材を通気口に固定する輪状のゴムバンドとからなり、カバー部材は上記通気口の開口端を閉塞する円板形状の端面フィルター部とこの端面フィルターの外周端から後方に向かって突設した円環状の周壁フィルター部とを有すると共に、この周壁フイルター部の後端に、該後端から外側に向かって略直角に屈折した一定幅を有する外周端面部とこの外周端面部の外周端から後方に向かって屈折した円環状の周壁部とからなる周段部を一体に設けてなり、上記通気口の開口端に固定している環状固定部材に上記カバー部材の周段部を被せてこの周段部における周壁部の外周面に上記ゴムバンドを被着することにより、通気口にカバー部材を着脱自在に装着していることを特徴とする通気口用カバー装置。
【請求項２】
ゴムバンドの内周面に、カバー部材の周段部における周壁部を形成した不織布の繊維間に食い込ませる無数の微細突起を設けていることを特徴とする請求項１に記載の通気口用カバー装置。
【請求項３】
カバー部材の周段部を第１周段部として、この第１周段部の後端に大径の外周端面部と周壁部とからなる第２、第３周段部を順次段状に形成していることを特徴とする請求項１に記載の通気口用カバー装置。
【請求項４】
環状固定部材は、通気口における室内側開口端の周囲の壁面に貼着するスポンジ材からなるリング状スペーサ部材であることを特徴とする請求項１に記載の通気口用カバー装置。
【請求項５】
環状固定部材は、通気口における室外側開口端の周囲に固定している金属製開口枠の円環状周壁座部であることを特徴とする請求項１に記載の通気口カバー装置。
【発明の詳細な説明】
【技術分野】
【０００１】
本発明は建物の壁体に貫設した通気口の開口端に装着して室内に取り入れられる外気中の塵埃や花粉等を濾過し、新鮮な空気のみを室内に取り込むための通気口のカバー装置に関するものである。
【背景技術】
【０００２】
この種のカバー装置としては、例えば、特許文献１に記載されているように、円環形状のカバー台座とこのカバー台座の外周面に取り外し自在に螺合するカバーヘッドとからなる合成樹脂製のカバーと、このカバー内に設けられてこれらのカバー台座とカバーヘッドとによりその外周部が挟持された状態で張設される円形状のフィルター膜とからなり、上記カバー台座の背面を両面テープを介して、通気口に挿嵌している通気筒体における室内側に開口した開口端のフランジ部上に固定して、通気筒体内を通じて流入する外気をフィルター膜で濾過したのち、カバーヘッドを通じて室内に取り込むように構成したものが知られている。
【０００３】
同様に、特許文献２には、通気口の室内側に開口した開口端にフィルター膜を交換可能に装着するための種々の形状、構造を有するフィルター装置が記載されてあり、例えば、環状部材の前端面に通気口を覆うフィルタ膜の外周部を接着し、この環状部材を通気口の開口端を囲むようにその周囲の壁面に固着している環状ベースに取り外し可能に被嵌させてなるフィルター装置や、フィルター膜を直接、環状ベースに被せてその外周部を紐等の締め付け部材によって環状ベースに取り外し可能に固定するように構成した簡易なフィルター装置が開示されている。
【特許文献１】特開平１１−１３７９３９号公報
【特許文献２】登録実用新案第３０４１７６６号公報
【発明の開示】
【発明が解決しようとする課題】
【０００４】
しかしながら、前者のようにカバー台座とこのカバー台座に取り外し自在に螺合したカバーヘッドとからなる合成樹脂製のカバーを使用すると、製品がコスト高になるばかりでなく、フィルター膜がカバー内に配設されているので、外部からフィルター膜の汚れを直視し難くなって交換時期を判断し得るための手段を別に必要として構造が複雑化し、その上、フィルター膜の交換時にはカバーヘッドを取り外したのち、新たなフィルター膜の外周部を該カバーヘッドとカバー台座とで挟持させるように配設しなければならないので、その作業も煩雑化するといった問題点がある。
【０００５】
さらに、フィルター膜はそれ自体、保形性を付与されておらず、柔軟性を有しているために、カバーヘッドに十字形状等の保持枠を設けてこの保持枠に支持させておく必要があり、そのため、この保持枠に支持されている部分はフィルターの機能を奏することができなくなる。また、通気口の開口端に対するカバーの固定は、カバー台座の背面を両面テープを介して通気口の開口端のフランジ部上に接着することにより行っているため、接着力が経時的に低下して強風の吹き込み等によってカバーが通気口から外れてしまう虞れがある。
【０００６】
一方、後者のように、環状部材の前端面に通気口を覆うフィルタ膜の外周部を接着し、この環状部材を通気口の開口端を囲むようにその周囲の壁面に固着している環状ベースに取り外し可能に被嵌させてなるフィルター装置や、フィルター膜を直接、環状ベースに被せてその外周部を紐等の締め付け部材によって環状ベースに取り外し可能に固定するように構成したフィルター装置によれば、比較的構造が簡単で製品コストの低減を図ることができるが、フィルター膜は依然として保形性を有していないために、これを通気口に装着するには環状部材や該フィルター膜の外周部に紐等の締め付け部材を取り付けておく必要があるばかりでなく、環状部材を通気口の周囲の環状ベースに単に被せても外気の流通圧によって通気口から外れてしまう虞れがある一方、紐等の締め付け部材によりフィルター膜を環状ベースの外周面に取り付ける場合には、壁面が邪魔になってその作業が困難であり、また、交換時には、これらの環状部材や締め付け部材をフィルター膜と一体的に廃棄しなければならず、資源の無駄につながるといった問題点がある。
【０００７】
本発明はこのような問題点に鑑みてなされたもので、その目的とするところは、保形性を有していて保持枠などを使用することなく建物に設けている通気口の室内側、室外側のいずれの開口端にも簡単且つ確実に装着でき、且つ、全面に亘って良好なフィルター機能を発揮し得ると共に、構造が簡単で安価に使い捨てが可能な通気口用カバー装置を提供するにある。
【課題を解決するための手段】
【０００８】
上記目的を達成するために、本発明の通気口用カバー装置は、請求項１に記載したように、建物の壁体に貫設している通気口のカバー装置であって、フィルター機能を有する一定厚みの不織布からなるカバー部材と、このカバー部材を通気口に固定する輪状のゴムバンドとからなり、カバー部材は上記通気口の開口端を閉塞する円板形状の端面フィルター部とこの端面フィルターの外周端から後方に向かって突設した円環状の周壁フィルター部とを有すると共に、この周壁フイルター部の後端に、該後端から外側に向かって略直角に屈折した一定幅を有する外周端面部とこの外周端面部の外周端から後方に向かって屈折した円環状の周壁部とからなる周段部を一体に設けてなり、上記通気口の開口端に固定している環状固定部材に上記カバー部材の周段部を被せてこの周段部における周壁部の外周面に上記ゴムバンドを被着することにより、通気口にカバー部材を着脱自在に装着した構造としている。
【０００９】
このように構成した通気口用カバー装置において、請求項２に係る発明は、上記ゴムバンドの内周面に、カバー部材の周段部における周壁部を形成した不織布の繊維間に食い込ませる無数の微細突起を設けていることを特徴とする。
【００１０】
さらに、請求項３に係る発明は、上記カバー部材の周段部を第１周段部として、この第１周段部の後端に大径の外周端面部と周壁部とからなる第２、第３周段部を順次段状に形成していることを特徴とする。
【００１１】
また、請求項１に記載の環状固定部材としては、通気口における室内側においては請求項４に記載したように、その開口端の周囲の壁面に貼着するスポンジ材からなるリング状スペーサ部材を使用し、通気口における室外側の開口端においては請求項５に記載したように、その開口端の周囲に固定している金属製開口枠の円環状周壁座部を使用していることを特徴とする。
【発明の効果】
【００１２】
請求項１に係る発明によれば、一定厚みを有する不織布からなるカバー部材は、通気口の開口端を閉塞する円板形状の端面フィルター部とこの端面フィルターの外周端から後方に向かって突設した円環状の周壁フィルター部とを有すると共に、この周壁フイルター部の後端に、該後端から外側に向かって略直角に屈折した一定幅を有する外周端面部とこの外周端面部の外周端から後方に向かって屈折した円環状の周壁部とからなる周段部を一体に設けてなる立体形状に成形されているので、保形性を有すると共に取り扱いも容易で保持枠などを使用することなく直接、その周段部を通気口の開口端に設けている環状固定部材に被せることによって簡単に装着することができると共に、周段部の周壁部の外周面に輪状のゴムバンドを被着することによってカバー部材を通気口の開口端に固定するように構成しているので、該通気口の開口端周囲の建物の壁面に邪魔されることなく固定作業が容易に行うことができる。
【００１３】
さらに、カバー部材が一定厚みを有する不織布を立体成形してなり、上述したように保持枠などを使用することなく、そのまま、通気口の開口端に装着するように構成しているので、通気口の開口端を閉塞する円板形状の端面フィルター部とこの端面フィルター部の外周端から後方に突設している円環状の周壁フィルター部とが全面的に濾過作用を行って室内に流入する外気に含まれる花粉や塵埃等を効率よく且つ全面に亘って均一に除去することができて長期に亘り濾過機能を発揮することができ、その上、交換の時期が容易に認識することができると共に、交換する場合には、上記ゴムバンドを取り外すことによってカバー部材を簡単に通気口から取り除くことができるばかりでなく、ゴムバンドは再び次のカバー部材の固定に使用することができ、また、廃棄するカバー部材は上述したように全体が不織布から形成されているので、安価に使い捨てが可能となると共にその処分も容易に行えるものである。
【００１４】
また、建物の壁体に貫設している上記通気口において、室外側の外壁面に開口している開口端には、通常、この開口端を囲むようにしてその外壁面に断面が段状で内部に多数のルーバを一体に設けている金属製開口枠が固着しているが、上記カバー部材は、円板形状の端面フィルター部の外周端から後方に向かって円環状の周壁フィルター部を突設していると共にこの周壁フィルター部の後端から外方に向かって屈折した一定幅を有する外周端面部とこの外周端面部の外周端から上記のように、後方に向かって屈折した円環状の周壁部とからなる周段部を一体に設けているので、このフィルター部材の周壁フィルター部から周段部を上記断面が段状の金属製開口枠の外周面に被せることによって簡単且つ正確に装着することができ、通気口における室外側の開口端に対してもカバー部材の装着が可能となるものである。
【００１５】
請求項２に係る発明によれば、カバー部材を通気口に固定するための上記ゴムバンドにおいて、その内周面に不織布の繊維間に食い込ませる無数の微細突起を設けているので、上述したように、通気口の開口端周囲の壁面に設けている環状固定部材にカバー部材における周段部の周壁部を被せた状態にして該ゴムバンドにより固定する際に、周壁部に対するゴムバンドによる締め付け力を強固にして確実な固定を可能にすることができる。
【００１６】
さらに、請求項３に係る発明によれば、上記カバー部材の周段部を第１周段部として、この第１周段部の後端に大径の外周端面部と周壁部とからなる第２、第３周段部を順次段状に形成しているので、通気口が大径の場合には最大径の第３周段部をその開口端周囲の壁面に設けている上記環状固定部材に被せることによってこのカバー部材を大径通気口の開口端に簡単に装着することができ、この通気口よりも小径の通気口であれば、それよりも大径の周段部を切除してその通気口の開口端周囲の壁面に設けている環状固定部材の径に応じた周段部を被せることができ、従って、大小径の通気口に適用することができる。  
【００１７】
また、上記環状固定部材としては、通気口における室内側においては請求項４に記載したように、その開口端の周囲の壁面に貼着するスポンジ材からなるリング状スペーサ部材を使用し、通気口における室外側の開口端においては請求項５に記載したように、その開口端の周囲に固定している金属製開口枠の円環状周壁座部を使用することによって、カバー部材を室の内外壁面のいずれにも簡単且つ確実に装着することができる。
【００１８】
なお、環状固定部材としては、通気口に挿嵌している通気筒部材のフランジ部を用いることもでき、また、このフランジ部がカバー部材の周段部の周壁部の内径よりも小径の場合には、上記リング状スペーサ部材をこのフランジ部の周囲の壁面に貼着することによって通気口の開口端に対するカバー部材の装着が可能となるものである。
【発明を実施するための最良の形態】
【００１９】
次に、本発明の具体的な実施の形態を図面について説明すると、図１は通気口用カバー装置の分解斜視図、図２はそのカバー部材の縦断側面図、図３はこのカバー装置を建物の壁体に貫設している通気口Ａにおける室内側の開口端に装着した状態を示す縦断側面図であって、上記通気口Ａには通気筒部材Ｂが挿嵌状態にして取り付けられていて、この通気筒部材Ｂの室内側に開口した開口端には室内側の壁面Ｄに密着した円環状のフランジｂが一体に設けられていると共に通気筒部材Ｂの室内側の開口端部内には摘まみｃの回動操作によって通気量を調整する公知の調整手段Ｃが設けられている。
【００２０】
通気口Ａの開口端に装着する上記カバー装置は、フィルター機能を有する一定厚みの不織布からなるカバー部材１と、このカバー部材１を通気口Ａの開口端に固定するための輪状のゴムバンド10と、上記通気筒部材Ｂのフランジ部ｂが薄肉で且つその外径がカバー部材１の後端開口部の内径よりも小径の場合に、フランジ部ｂの周囲の壁面に貼着してカバー部材１を固定させるための環状固定部材であるリング状スペーサ部材20とからなるものである。
【００２１】
詳しくは、上記カバー部材１は一定厚みを有するシート状の不織布からなるフィルター材を立体的に成形してなり、通気口Ａの開口端を該開口端から前方（室内側）に小間隔を存した状態で全面的に閉塞する円板形状の端面フィルター部２と、この端面フィルター部２から後方に向かって突設した一定の前後幅（高さ）を有する円環状の周壁フィルター部３と、この周壁フィルター部３の後端から外側に向かって略直角に屈折している径方向に一定幅を有する外周端面部４と、この外周端面部４の外周端から後方に向かって略直角に屈折している前後方向に一定幅（高さ）を有する円環状の周壁部５とを形成してなるものである。
【００２２】
このカバー部材１において、端面フィルター部２の径は通気口Ａの口径よりもやや大径に形成されてあり、この端面フィルター部２から後方に向かって突設している周壁フィルター部３は端面フィルター部２の面に対して略直角ないしはやや外側方に向かって傾斜した状態となるように後方に屈折していて、これらの端面フィルター部２と周壁フィルター部３とで皿形状のカバー本体1aを形成している一方、上記外周端面部４と円環状の周壁部５とによって通気口Ａの開口端に固定するための周段部６を形成している。
【００２３】
このカバー部材１の周段部６を上記環状固定部材であるリング状スペーサ部材20に固定する場合には、このリング状スペーサ部材20の外周径をこの周壁部５の内周径に等しい径に形成していると共にリング状スペーサ部材20の高さ（厚み）を周壁部５の高さ（前後方向の幅）よりも僅かに大きい寸法に形成し、外周端面部４の後面（内面）を略全面的にリング状スペーサ部材20の前端面に当接、受止させるように形成している。なお、通気口Ａに挿嵌している上記通気筒部材Ｂの薄肉のフランジ部ｂが比較的その外周径が大径である場合には、このフランジ部ｂ上にリング状スペーサ部材20を貼着してもよい。
【００２４】
また、上記周壁部６の周段部５の内周形状は、通気口Ａにおける室外側に開口した開口端を囲むようにして建物の外壁面Ｅ（図６〜図８に示す）に固着している断面が段状で内部に多数のルーバｆを一体に設けている金属製開口枠Ｆの固定用枠部F1に被嵌可能な大きさ、形状に形成されてあり、この固定用枠部F1を建物の外側壁面にカバー部材１を装着さるための上記環状固定部材としている。具体的には、金属製の開口枠Ｆは、円環形状の周壁部F2の開口端内に複数枚のルーバｆを互いに平行に設けていると共に、この周壁部F2の基端から外側方に向かって内外周端縁間の幅が一定幅に形成されて平坦な環状取付端面部F11 を突設し、さらに、この環状取付端面部F11 の外周端から建物の外壁面Ｅに向かって一定高さの円環状周壁座部F12 を一体に形成して、これらの環状取付端面部F11 と円環状周壁座部F12 とで上記固定用枠部F1を形成し、この固定用枠部F1をビス等によって外壁面Ｅ、又は、通気口Ａに挿嵌している通気筒部材Ｂにおける外壁面Ｅに密着したフランジ部b'に固着している。
【００２５】
そして、この金属製開口枠Ｆの外形にカバー部材１の内面の形状を略同形にしてカバー部材１を金属製開口枠Ｆに全面的に被せるように形成している。即ち、カバー部材１におけるカバー本体1aの端面フィルター部２の内面を金属製開口枠Ｆの開口端と同径、同大に形成していると共に周壁フィルター部３の高さ及び内径を金属製開口枠Ｆの周壁部F2の高さ及び外径に略等しい寸法に形成してあり、さらに、周段部６における外周端面部４の内面の幅と外径を金属製開口枠Ｆの環状取付端面部F11 の幅と径に等しくしていると共に、周壁部５の高さ及び内径を金属製開口枠Ｆの円環状周壁座部F12 の高さ及び外径に略等しい寸法に形成している。
【００２６】
一方、室内側に向かって開口した上記通気口Ａの開口端を囲むようにして建物の内壁面Ｄに取り付ける上記リング状スペーサ部材20はスポンジ材からなり、その後端面に粘着剤層21を塗布していると共にこの粘着剤層21上に剥離紙22を剥離可能に貼着している。また、カバー部材１を通気口Ａの開口端に固定するための輪状のゴムバンド10は、カバー部材１の周段部６における周壁部５の外径よりも小径であって、その内周面に周壁部５を形成している不織布の繊維間に係止状態に食い込ませる無数の微細突起11を突設している。
【００２７】
以上のように構成したカバー部材１を通気口Ａにおける室内側に開口した開口端に装着するには、まず、図４に示すように、この通気口Ａの開口端を囲繞するようにして該開口端の周囲の壁面Ｄにリング状スペーサ部材20を固定する。このリング状スペーサ部材20の固定は、その後端面に貼着している剥離紙22を剥離して粘着剤層21を露出させ、リング状スペーサ部材20を通気口Ａの開口端の周囲に通気口Ａと同心上にしてその粘着剤層21を壁面Ｄに貼着することにより行うことができる。この場合、リング状スペーサ部材20を通気口Ａに挿嵌している通気筒部材Ｂのフランジ部ｂ上に貼着してもよい。
【００２８】
こうして、リング状スペーサ部材20を壁面Ｄに貼着、固定したのち、カバー部材１の周段部６をこのリング状スペーサ部材20に被せ、該周段部６の外周端面部４をリング状スペーサ部材20の前端面に当接、受止させると共に周壁部５をリング状スペーサ部材20に外嵌させる。しかるのち、輪状のゴムバンド10を拡張させてカバー部材１の周段部６における周壁部５に被せたのち、手放すことによってその弾性収縮力で周壁部５を全面的に縮径させる方向に押圧し、リング状スペーサ部材20の外周面に圧着させることによってカバー部材１をリング状スペーサ部材20に固定する（図３、図５参照）。カバー部材１は立体成形品であって保形性を有し、且つ、全体を不織布によって形成されているので、取り扱いが容易でリング状スペーサ部材20に対する装着作業が簡単且つ正確に行えると共に、軽量であるから、ゴムバンド10の弾性収縮力によって強固にリング状スペーサ部材20に装着、固定しておくことができる。
【００２９】
このように、通気口Ａの室内側に開口した開口端にカバー部材１を装着すると、外気が通気口Ａ内に流入してカバー部材１の端面フィルター部２や周壁フィルター部３を通過する際に、この外気中に含まれる花粉や塵埃等の不純物がフィルター部２、３に捕捉されて除去され、新鮮な空気のみが室内に流入することになる。この際、カバー部材１はその端面フィルター部２が通気口Ａの開口径よりも大径に形成されていると共に周壁フィルター部３によって通気口Ａの開口端と端面フィルター部２の内面との間に広い空間部が形成されてあり、且つ、これらの端面フィルター部２及び周壁フィルター部３は保形枠などによって支持されていないので、全面に亘って均等に濾過機能を発揮することができると共に捕捉面積が極めて大きくて長期の使用に供することができる。
【００３０】
また、カバー部材１を交換する場合には、上記ゴムバンド10を取り外せば、リング状スペーサ部材20に装着しているカバー部材１を簡単に取り除くことができると共に、新たなカバー部材１を上述同様にしてリング状スペーサ部材20に取り付けたのち、上記ゴムバンド10を使用して簡単に固定することができる。なお、通気口Ａに挿嵌している通気筒部材Ｂのフランジ部ｂが肉厚でカバー部材１の周段部６を固定させることができる外径に形成されている場合には、リング状スペーサ部材20を使用することなく、このフランジ部ｂにカバー部材１の周段部６を被せてゴムバンド10により固定することができるので、リング状スペーサ部材20は必ずしも必要ではない。
【００３１】
次に、図６〜図８は、上記カバー部材１を通気口Ａの室外側に開口した開口端に装着している状態を示すもので、この場合には、カバー部材１の周段部６を通気口Ａの開口端の周囲における外壁面Ｅに固着している金属製開口枠Ｆの固定用枠部F1に被せて該周段部６の周壁部５を固定用枠部F1の円環状周壁座部F12 に被嵌させると共に外周端面部４の内面を環状取付端面部F11 に当接、受止させ、さらに、カバー部材１におけるカバー本体1aにおける周壁フィルター部３を金属製開口枠Ｆの周壁部F1に被嵌させると共に端面フィルター部２を金属製開口枠Ｆの開口端面に重ね合わせて該開口端を被覆させる。しかるのち、輪状のゴムバンド10を拡張させてカバー部材１の周段部６における周壁部５に被せたのち、手放すことによってその弾性収縮力で周壁部５を全面的に縮径させる方向に押圧し、金属製開口枠Ｆの円環状周壁座部F12 の外周面に圧着させることによってカバー部材１を金属製開口枠Ｆに装着、固定する。
【００３２】
こうしてカバー部材１を通気口Ａの室外側の開口端に装着すると、外気に含まれている花粉や塵埃等がカバー部材１の端面フィルター部２によって捕捉されて新鮮な空気のみが通気口Ａ内に流入して室内側に開口している該通気口Ａの開口端から室内に取り込むことができる。
【００３３】
なお、以上の実施の形態においては、通気口Ａの大きさに応じたカバー部材１を使用しているが、建物の壁体に貫設している通気口には、口径が大中小に異なった通気口が設けられているので、その大きさに応じたカバー部材１のみを上述したように採用してもよいが、これらの口径の異なったいずれの通気口にも装着できるカバー部材の構造としておくこともできる。
【００３４】
図９はそのカバー部材1'の側面図であって、このカバー部材1'は上記カバー部材１と同様に、一定厚みを有するシート状の不織布からなるフィルター材を立体的に成形してなるもので、前半部を上記図１、図２で示したカバー部材１と同一形状に形成し、後半部をは順次大径に形成した周段部７、８に形成してなるものである。
【００３５】
具体的には、このカバー部材1'の前半部は、最も小口径の通気口の開口端を被覆し得る径に形成されている円板形状の端面フィルター部2'と、この端面フィルター部2'から後方に向かって突設した一定の前後幅（高さ）を有する円環状の周壁フィルター部3'と、この周壁フィルター部3'の後端から外側に向かって略直角に屈折している径方向に一定幅を有する外周端面部4'と、この外周端面部4'の外周端から後方に向かって略直角に屈折している前後方向に一定幅（高さ）を有する円環状の周壁部5'とを形成してなるものであり、これらの外周端面部4'と円環状の周壁部5'とによって周段部6'を形成している一方、後半部は、この周段部6'を第１周段部として、この第１周段部6'の後端に該第１周段部6'よりも大径の外周端面部7aと周壁部7bとからなる第２周段部７を連設し、さらに、この第２周段部７の周壁部7bの後端にこの第２周段部７よりも大径の外周端面部8aと周壁部8bとからなる第３周段部８を連設してなるものである。
【００３６】
このように構成したカバー部材1'は、大径の通気口A1の開口端に装着する場合には、第３周段部８を室外側の壁面に開口している該通気口A1の開口端周囲に固着した上記金属製開口枠Ｆに図10に示すように取り付ける。なお、このカバー部材1'を室内側の壁面に開口している該通気口A1に装着してもよいが、カバー部材1'は壁面から大きく突出した状態で取り付けられるので、邪魔になったり他物との衝突により破損する虞れがあるので、上記のように室外側に取り付けられるものである。
【００３７】
その取り付けは、該カバー部材1'の後半部を上記金属製開口枠Ｆに被せて、その第２、第３周段部７、８の周壁部7b、8bを金属製開口枠Ｆの周壁部F2と固定用枠部F1における円環状周壁座部F12 とにそれぞれ被嵌させると共に第２、第３周段部７、８の外周端面部7a、8bを金属製開口枠Ｆの開口端面の外周部と固定用枠部F1における環状取付端面部F11 とに当接、受止させた状態にする。次いで、輪状のゴムバンド10を拡張させてカバー部材１の第３周段部８における周壁部8bに被せたのち、手放すことによってその弾性収縮力で周壁部8bを全面的に縮径させる方向に押圧し、金属製開口枠Ｆの円環状周壁座部F12 の外周面に圧着させることによってカバー部材１を金属製開口枠Ｆに装着、固定する。
【００３８】
さらに、上記通気口A1よりも小径の通気口の開口端に装着する場合には、まず、図11に示すように、このカバー部材1'の後半部をカッタにより切除して該後半部を形成している第２、第３周段部７、８を廃棄する。そうすると、上記実施の形態における図１〜３に示したカバー部材１と同じく、端面フィルター部2'と周壁フィルター部3'とからなるカバー本体1a' の後端に第１周段部6'を一体に設けてなるカバー部材1'' に形成される。
【００３９】
このカバー部材1'' を室内側に開口している通気口の開口端に装着するには、上記図３に示した装着構造と同様に、環状固定部材としてリング状スペーサ部材20を使用してこのリング状スペーサ部材20を通気口の開口端周囲の内壁面に貼着、固定したのち、カバー部材1'' の周段部6'を該リング状スペーサ部材20に被せ、リング状スペーサ部材20の外周面に被嵌している周壁部5'をゴムバンド10により弾性的に締めつけて固定すればよい。また、このカバー部材1'' を室外側に開口している通気口の開口端に装着する場合には、上記図６〜図８に示した取り付け方と同じようにして金属製開口枠Ｆに装着すればよい。
【００４０】
また、この通気口よりもさらに小径の通気口の開口端に装着する場合には、上記カバー部材1'を端面フィルター部2'と周壁フィルター部3'とからなるカバー本体1a' を残して第１〜第３周段部6'、７、８を切除し、このカバー本体1a' を室内側に開口している通気口の開口端に装着するには、この開口端の周囲に貼着し得る小径のリング状スペーサ部材を使用してこのリング状スペーサ部材を通気口の開口端周囲の内壁面に貼着、固定したのち、該カバー本体1a' をリング状スペーサ部材20に被せ、このリング状スペーサ部材の外周面に被嵌している周壁フィルター部３を輪状のゴムバンド10により弾性的に締めつけて固定すればよい。また、このカバー本体1a' を室外側に開口している通気口の開口端に装着する場合には、該開口端の周囲に固着している小径の金属製開口枠の周壁部にこのカバー本体1a' を被せて、輪状のゴム10により弾性的に締め付けて固定すればよい。
【図面の簡単な説明】
【００４１】
【図１】通気口用カバー装置の分解斜視図。
【図２】そのカバー部材の縦断側面図。
【図３】通気口の室内側開口端に装着した状態を示す縦断側面図。
【図４】その装着態様を示す分解斜視図。
【図５】装着した状態の斜視図。
【図６】通気口の室外側開口端に装着した状態を示す縦断側面図。
【図７】その装着態様を示す分解斜視図。
【図８】装着した状態の斜視図。
【図９】カバー部材の他の実施の形態を示す側面図。
【図１０】その使用状態の一例を示す縦断側面図。
【図１１】小径の通気口に装着するために一部を切除した状態の側面図。
【符号の説明】
【００４２】
Ａ  通気口
１  カバー部材
２  端面フィルター部
３  周壁フィルター部
４  外周端面部
５  周壁部
６  周段部
10  輪状のゴムバンド
20  リング状スペーサ部材
【図１】
2008298396.tif 000003
【図２】
2008298396.tif 000004
【図３】
2008298396.tif 000005
【図４】
2008298396.tif 000006
【図５】
2008298396.tif 000007
【図６】
2008298396.tif 000008
【図７】
2008298396.tif 000009
【図８】
2008298396.tif 000010
【図９】
2008298396.tif 000011
【図１０】
2008298396.tif 000012
【図１１】
2008298396.tif 000013